(57)【要約】【課題】確実にエアゾール缶を把持でき、かつ、ワンタッチで取り付けることのできる噴霧装置を提供することを目的とする。【解決手段】本発明の噴霧装置は、ロック手段、リリース手段、噴霧手段、ハウジングを具備する。ロック手段は、凹部に、対向する２つの爪部を引っ掛けることで噴霧装置をエアゾール缶に固定する。また、ロック手段は、噴霧装置をエアゾール缶に着脱する方向とほぼ垂直な方向に移動可能である。弾性体は、凹部に嵌る方向に爪部を押す。さらに、爪部には、噴霧装置をエアゾール缶に取り付ける方向に押したときには、爪部が開くようにテーパが形成されている。リリース手段は、爪部を前記凹部からはずす。噴霧手段は、エアゾール缶の内容物を噴霧口から噴霧する。ハウジングは、ロック手段とリリース手段と噴霧手段とを収納する。【選択図】図３
2011131892.tif 000002
【特許請求の範囲】
【請求項１】
噴出孔と前記噴出孔を中心とする環状の凹部を有するエアゾール缶に着脱可能な噴霧装置であって、
前記凹部に、対向する２つの爪部を引っ掛けることで当該噴霧装置を前記エアゾール缶に固定するロック手段と、
前記凹部に嵌る方向に前記爪部を押す弾性体と、
前記爪部を前記凹部からはずすリリース手段と、
前記エアゾール缶の内容物を噴霧するための噴霧手段と、
前記ロック手段と前記リリース手段と前記噴霧手段とを収納するハウジングと、
を具備し、
前記ロック手段は、
当該噴霧装置を前記エアゾール缶に着脱する方向とほぼ垂直に直線的に移動可能であって、
前記爪部には、当該噴霧装置を前記エアゾール缶に取り付ける方向に押したときには、前記爪部が開くようにテーパが形成されている
ことを特徴とする噴霧装置。
【請求項２】
請求項１記載の噴霧装置であって、
前記爪部が前記凹部にはまった状態（以下、「把持状態」という）のときに、前記ハウジングまたは前記リリース手段が、前記２つの爪部の位置を、前記エアゾール缶の噴出孔に対してほぼ対称な位置に制限する
ことを特徴とする噴霧装置。
【請求項３】
請求項２記載の噴霧装置であって、
前記ハウジングまたは前記リリース手段は、把持状態での前記爪部の位置を制限するリブを有する
ことを特徴とする噴霧装置。
【請求項４】
請求項１から３のいずれかに記載の噴霧装置であって、
前記ハウジングは、前記爪部を覆うとともに、前記爪部が開く方向の可動範囲を制限している
ことを特徴とする噴霧装置。
【請求項５】
請求項１から４のいずれかに記載の噴霧装置であって、
前記リリース手段は、引っ張ること、押し込むこと、水平方向にスライドさせること、若しくは回転させることで前記爪部を前記凹部から外す方向に移動させる
ことを特徴とする噴霧装置。
【請求項６】
請求項１から５のいずれかに記載の噴霧装置であって、
前記噴霧手段は、電磁弁によって駆動され、前記エアゾール缶の内容物を噴霧口より噴霧する
ことを特徴とする噴霧装置。
【発明の詳細な説明】
【技術分野】
【０００１】
本発明は、エアゾール缶の内容物を噴霧する噴霧装置に関する。
【背景技術】
【０００２】
噴霧装置に関する発明としては、特許文献１や特許文献２の技術が従来技術として知られている。特許文献１も特許文献２もエアゾール缶の上部にある凹部を、ハウジングの下方部分の内面側に形成された爪部で把持する構成は同じである。そして、どちらも確実に把持するために、取り付け過程の中に爪部の可動範囲を取り付け時よりも狭くする何らかの処理を含んでいる。例えば、噴霧装置をエアゾール缶に押し付けた状態でリング状の部材を爪部の近くに移動させることや、押ボタンを押しながら噴霧装置をエアゾール缶に押し付けることなどである。
【先行技術文献】
【特許文献】
【０００３】
【特許文献１】特表２００３−５０１２３９号公報
【特許文献２】特開２００８−２５４７３９号公報
【発明の概要】
【発明が解決しようとする課題】
【０００４】
噴霧装置をエアゾール缶に取り付ける際には、１０〜３０Ｎ程度の力で噴霧装置をエアゾール缶に押し付けなければならない。前記の従来技術では、噴霧装置を押し付けながらさらに他の何らかの処理（例えば、リング状の部材を移動させること、押ボタンを押すことなど）を行わなければならなかった。したがって、噴霧装置を取り付けにくいという課題があった。
【０００５】
そこで、本発明は、確実にエアゾール缶を把持でき、かつ、ワンタッチで取り付けることのできる噴霧装置を提供することを目的とする。
【課題を解決するための手段】
【０００６】
本発明の噴霧装置は、噴出孔と前記噴出孔を中心とする環状の凹部を有するエアゾール缶に着脱可能な噴霧装置である。本発明の噴霧装置は、ロック手段、リリース手段、噴霧手段、ハウジングを具備する。ロック手段は、凹部に、対向する２つの爪部を引っ掛けることで噴霧装置をエアゾール缶に固定する。ロック手段は、噴霧装置をエアゾール缶に着脱する方向とほぼ垂直な方向の直線上を移動可能である。また、噴霧装置を取りはずす方向に力を加えたときに凹部と接触する爪部の面の法線方向は、噴霧装置をエアゾール缶に着脱する方向とほぼ一致する。弾性体は、凹部に嵌る方向に爪部を押す。さらに、爪部には、噴霧装置をエアゾール缶に取り付ける方向に押したときには、爪部が開くようにテーパが形成されている。リリース手段は、爪部を凹部からはずす。噴霧手段は、エアゾール缶の内容物を噴霧口から噴霧する。ハウジングは、ロック手段とリリース手段と噴霧手段とを収納する。爪部が凹部にはまった状態（以下、「把持状態」という）のときに、ハウジングまたはリリース手段が、２つの爪部の位置を、エアゾール缶の噴出孔に対してほぼ対称な位置に制限すればなおよい。また、ハウジングは、爪部を覆うとともに、爪部が開く方向の可動範囲を制限してもよい。
【発明の効果】
【０００７】
本発明の噴霧装置によれば、ロック手段をハウジングとは別体とし、ロック手段の移動方向を、噴霧装置をエアゾール缶に着脱する方向とほぼ垂直の直線状としている。また、噴霧装置を取りはずす方向に力を加えたときに凹部と接触する爪部の面の法線方向も噴霧装置をエアゾール缶に着脱する方向とほぼ垂直である。そして、爪部を凹部に嵌る方向に押す弾性体も有する。したがって、着脱方向の引っ張る力が加わっても爪部は動かないので確実に把持できる。さらに、爪部には、噴霧装置をエアゾール缶に取り付ける方向に押したときには、爪部が開くように爪部にテーパが形成されている。したがって、着脱方向の押し付ける力が加わったときには爪部が開き、ワンタッチで（噴霧装置を押し付けるだけで）噴霧装置をエアゾール缶に取り付けることができる。
【０００８】
また、把持状態のときに、ハウジングまたはリリース手段が２つの爪部の位置を、エアゾール缶の噴出孔に対してほぼ対称な位置に制限することによって、爪部の位置の偏心を防ぐことができるので、確実に爪部をエアゾール缶の凹部に嵌めることができる。さらに、ハウジングが、爪部を覆うとともに、爪部が開く方向の可動範囲を制限すれば、外部からの衝撃やいたずらなどによって噴霧装置がはずれることを防ぐことができる。
【図面の簡単な説明】
【０００９】
【図１】エアゾール缶に実施例１の噴霧装置を取り付けた状態の斜視図。
【図２】実施例１の噴霧装置を上から見た図。
【図３】図２のＡ−Ａ線での噴霧装置の断面図。
【図４】図３のＢ−Ｂ線で切ったときの斜視図。
【図５】実施例１の噴霧装置とエアゾール缶を分離した状態で斜め下方から見た斜視図。
【図６】エアゾール缶に実施例２の噴霧装置を取り付けた状態の斜視図。
【図７】実施例２の噴霧装置を上から見た図。
【図８】図７のＣ−Ｃ線での噴霧装置の断面図。
【図９】図８のＤ−Ｄ線で切ったときの斜視図。
【発明を実施するための形態】
【００１０】
以下、本発明の実施の形態について、詳細に説明する。なお、同じ機能を有する構成部には同じ番号を付し、重複説明を省略する。
【実施例１】
【００１１】
図１はエアゾール缶に実施例１の噴霧装置を取り付けた状態の斜視図、図２は実施例１の噴霧装置を上から見た図である。また、図３は図２のＡ−Ａ線での噴霧装置の断面図、図４は図３のＢ−Ｂ線で切ったときの斜視図、図５は実施例１の噴霧装置とエアゾール缶を分離した状態で斜め下方から見た斜視図である。噴霧装置１００は、エアゾール缶９００に着脱可能である。エアゾール缶９００は、押下されることで内容物を噴出する噴出孔９２０と噴出孔９２０を中心とする環状のマウンテンキャップ９１０を有しており、マウンテンキャップ９１０の外周には環状の凹部９１５が形成されている。噴霧装置１００は、ハウジング１１０、ロック手段１２０−１、１２０−２、リリース手段１３０−１、１３０−２、弾性体１６０、１６５、噴霧手段１８０を具備する。
【００１２】
ロック手段１２０−１、１２０−２は、凹部９１５に、対向する２つの爪部１２１−１、１２１−２を引っ掛けることで噴霧装置１００をエアゾール缶９００に固定する。また、ロック手段１２０−１、１２０−２は、噴霧装置１００をエアゾール缶９００に着脱する方向とほぼ垂直に直線的に移動可能である。また、噴霧装置１００を取りはずす方向に力を加えたときに凹部９１５と接触する爪部１２１−１、１２１−２の面の法線方向は噴霧装置１００をエアゾール缶９００に着脱する方向とほぼ一致する。弾性体１６０、１６５は、凹部９１５に嵌る方向に爪部１２１−１、１２１−２を押す。「ほぼ垂直」とは、着脱方向の力が加わったときに、その力によってロック手段１２０−１、１２０−２が動き、噴霧装置１００がエアゾール缶９００からはずれてしまわない範囲である。具体的には、「ほぼ垂直」の範囲は、加わることが想定される力の範囲、弾性体のバネ定数、凹部の深さなどを考慮して決まる設計上許容される範囲である。
【００１３】
本実施例では、ロック手段１２０−１、１２０−２は、爪部１２１−１、１２１−２、連結凹部１２２−１、１２２−２、レール部１２３−１、１２３−２、１２４−１、１２４−２、弾性体押圧部１２５−１、１２５−２、１２６−１、１２６−２、可動範囲制限片１２７−１、１２７−２、１２８−１、１２８−２から構成される。爪部１２１−１、１２１−２には、噴霧装置１００をエアゾール缶９００に取り付ける方向に押したときには、爪部１２１−１、１２１−２が開くようにテーパ１２１１−１、１２１１−２が形成されている。また、噴霧装置１００を取りはずす方向に力を加えたときに凹部９１５と接触する爪部１２１−１、１２１−２の面の法線方向は、噴霧装置１００を取りはずす方向とほぼ一致する。したがって、噴霧装置１００を取りはずす方向に力を加えても、爪部１２１−１、１２１−２は開かない。なお、凹部９１５と接触する爪部１２１−１、１２１−２の面の法線方向は、噴霧装置１００を取りはずす方向に力を加えたときに爪部１２１−１、１２１−２が閉じる方向に力が加わるように法線方向を決めてもよい。つまり、凹部９１５と接触する爪部１２１−１、１２１−２の面を、真上（噴霧装置１００を取りはずす方向）よりも外側に向けてもよい。
【００１４】
連結凹部１２２−１、１２２−２は、リリース手段１３０−１、１３０−２とつながっており、リリース手段１３０−１、１３０−２に加えられた力をロック手段１２０−１、１２０−２に伝える。レール部１２３−１と１２３−２、１２４−１と１２４−２は、互いに嵌めあわされており、ロック手段１２０−１、１２０−２同士を直線状に移動させる。弾性体１６０を弾性体押圧部１２５−１、１２５−２の間に、弾性体１６５を弾性体押圧部１２６−１、１２６−２の間に、それぞれ挟むことで爪部１２１−１、１２１−２が凹部９１５に嵌る方向に押される。
【００１５】
ハウジング１１０は、ロック手段１２０−１、１２０−２とリリース手段１３０−１、１３０−２と噴霧手段１８０とを収納する。ハウジング１１０は、下部の内周面にロック手段１２０−１、１２０−２の可動範囲を制限するためのリブ１１１−１、１１１−２、１１２−１、１１２−２を有する。リブ１１１−１、１１１−２、１１２−１、１１２−２は、それぞれ、ロック手段１２０−１、１２０−２の可動範囲制限片１２７−１、１２７−２、１２８−１、１２８−２と対向しており、爪部１２１−１、１２１−２が凹部９１５にはまった状態（以下、「把持状態」という）のときに、２つの爪部１２１−１、１２１−２の位置を、エアゾール缶９００の噴出孔９２０に対してほぼ対称な位置にする。また、ハウジング１１０は、爪部１２１−１、１２１−２を覆うとともに、爪部１２１−１、１２１−２が開く方向の可動範囲も制限している。なお、「ほぼ対称な位置」とは、爪部１２１−１、１２１−２の両方が確実に凹部９１５に嵌る範囲を示している。なお、ハウジング１１０が２つの部材で構成されている場合は、図１と図３に示すように、ネジ１１９−１、１１９−２によって一体化すればよい。
【００１６】
リリース手段１３０−１、１３０−２は、爪部１２１−１、１２１−２を凹部９１５からはずすための手段であり、連結凸部１３１−１、１３１−２を有する。連結凸部１３１−１、１３１−２は、連結凹部１２２−１、１２２−２とつながっており、リリース手段１３０−１、１３０−２を引っ張ることで、爪部１２１−１、１２１−２を凹部９１５からはずすことができる。
【００１７】
噴霧手段１８０は、電磁弁１８５、パッキン１８１、噴霧口１８２、噴霧ガイド１８３を有する。図３では、電磁弁１８５と噴出孔９２０との隙間は、Ｏリング１８４で埋められた状態となっている。電磁弁１８５の先にはパッキン１８１が取り付けてあり、電磁弁１８５が動作していないとき噴霧口１８２が閉じていて、エアゾール缶９００の内容物が噴出しないようになっている。そして、電磁弁１８５の動作によって噴霧口１８２が開き、噴霧ガイド１８３を介してエアゾール缶９００の内容物を噴霧する。なお、本実施例では図示していないが、ハウジング１１０内のスペースの空いた部分に電池や回路を搭載しておき、この電池や回路によって電磁弁１８５（具体的には、ソレノイドなど）を駆動すればよい。
【００１８】
本実施例の噴霧装置によれば、ロック手段をハウジングとは別体とし、ロック手段の移動方向を、噴霧装置をエアゾール缶に着脱する方向とほぼ垂直の直線状としている。また、噴霧装置を取りはずす方向に力を加えたときに凹部と接触する爪部の面の法線方向も噴霧装置をエアゾール缶に着脱する方向とほぼ垂直である。そして、爪部を凹部に嵌る方向に押す弾性体も有する。したがって、取りはずす方向に力が加わっても爪部は動かないので確実に把持できる。さらに、爪部には、噴霧装置をエアゾール缶に取り付ける方向に押したときには、爪部が開くように爪部にテーパが形成されている。したがって、取り付けるときには押し込むことで爪部が開き、ワンタッチで（噴霧装置を押し付けるだけで）噴霧装置をエアゾール缶に取り付けることができる。
【００１９】
また、把持状態のときに、ハウジングが２つの爪部の位置を、エアゾール缶の噴出孔に対してほぼ対称な位置に制限することによって、爪部の位置の偏心を防ぐことができるので、確実に爪部をエアゾール缶の凹部に嵌めることができる。さらに、ハウジングが、爪部を覆うとともに、爪部が開く方向の可動範囲を制限しているので、外部からの衝撃やいたずらなどによって噴霧装置がはずれることを防ぐことができる。
【実施例２】
【００２０】
図６はエアゾール缶に実施例２の噴霧装置を取り付けた状態の斜視図、図７は実施例２の噴霧装置を上から見た図である。また、図８は図７のＣ−Ｃ線での噴霧装置の断面図、図９は図８のＤ−Ｄ線で切ったときの斜視図である。噴霧装置２００は、エアゾール缶９００に着脱可能である。噴霧装置２００は、ハウジング２１０、ロック手段２２０−１、１２０−２、リリース手段２３０、弾性体２６０、２６５、噴霧手段２８０を具備する。
【００２１】
ロック手段２２０−１、２２０−２は、凹部９１５に、対向する２つの爪部２２１−１、２２１−２を引っ掛けることで噴霧装置２００をエアゾール缶９００に固定する。また、ロック手段２２０−１、２２０−２は、噴霧装置２００をエアゾール缶９００に着脱する方向とほぼ垂直に直線的に移動可能である。また、噴霧装置２００を取りはずす方向に力を加えたときに凹部９１５と接触する爪部２２１−１、２２１−２の面の法線方向は噴霧装置２００をエアゾール缶９００に着脱する方向とほぼ一致する。弾性体２６０、２６５は、凹部９１５に嵌る方向に爪部２２１−１、２２１−２を押す。「ほぼ垂直」とは、着脱方向の力が加わったときに、その力によってロック手段２２０−１、２２０−２が動き、噴霧装置２００がエアゾール缶９００からはずれてしまわない範囲である。具体的には、「ほぼ垂直」の範囲は、加わることが想定される力の範囲、弾性体のバネ定数、凹部の深さなどを考慮して決まる設計上許容される範囲である。
【００２２】
本実施例では、ロック手段２２０−１、２２０−２は、爪部２２１−１、２２１−２、レール部２２３−１、２２３−２、２２４−１、２２４−２、弾性体押圧部２２５−１、２２５−２、２２６−１、２２６−２、可動範囲制限片２２７−１、２２７−２、２２８−１、２２８−２から構成される。爪部２２１−１、２２１−２には、噴霧装置２００をエアゾール缶９００に取り付ける方向に押したときには、爪部２２１−１、２２１−２が開くようにテーパ２２１１−１、２２１１−２が形成されている。また、噴霧装置２００を取りはずす方向に力を加えたときに凹部９１５と接触する爪部２２１−１、２２１−２の面の法線方向は、噴霧装置２００を取りはずす方向とほぼ一致する。したがって、噴霧装置２００を取りはずす方向に力を加えても、爪部２２１−１、２２１−２は開かない。なお、凹部９１５と接触する爪部２２１−１、２２１−２の面の法線方向は、噴霧装置２００を取りはずす方向に力を加えたときに爪部２２１−１、２２１−２が閉じる方向に力が加わるように法線方向を決めてもよい。つまり、凹部９１５と接触する爪部２２１−１、２２１−２の面を、真上（噴霧装置２００を取りはずす方向）よりも外側に向けてもよい。
【００２３】
レール部２２３−１と２２３−２、２２４−１と２２４−２は、互いに嵌めあわされており、ロック手段２２０−１、２２０−２同士を直線状に移動させる。弾性体２６０を弾性体押圧部２２５−１、２２５−２の間に、弾性体２６５を弾性体押圧部２２６−１、２２６−２の間に、それぞれ挟むことで爪部２２１−１、２２１−２が凹部９１５に嵌る方向に押される。
【００２４】
ハウジング２１０は、ロック手段２２０−１、２２０−２とリリース手段２３０と噴霧手段２８０とを収納する。ハウジング２１０は、下部にリリース手段２３０の可動範囲を制限するための穴２１１、２１２を有する。また、図８に示すように、ロック手段２２０−１、２２０−２を保護する底面板２１５を有してもよい。
【００２５】
リリース手段２３０は、爪部２２１−１、２２１−２が凹部９１５にはまった状態（以下、「把持状態」という）のときに爪部２２１−１、２２１−２の位置を、エアゾール缶９００の噴出孔９２０に対してほぼ対称な位置に制限する役割と、爪部２２１−１、２２１−２を凹部９１５からはずす役割とを果たす。リリース手段２３０は、ハウジング２１０の内周に沿った円弧状をしており、両端に操作部２３１−１、２３１−２、作用部２３２−１、２３２−２を有する。穴２１１、２１２は、操作部２３１−１、２３１−２の位置を制限しており、図９は把持状態のときを示している。このとき、作用部２３２−１、２３２−２に可動範囲制限片２２７−１、２２７−２、２２８−１、２２８−２が押し付けられた状態となることで、爪部２２１−１、２２１−２は、エアゾール缶９００の噴出孔９２０に対してほぼ対称な位置に配置される。また、操作部２３１−１、２３１−２を、図９の矢印方向に回転させると、作用部２３２−１が可動範囲制限片２２７−２を押し、作用部２３２−２が可動範囲制限片２２８−１を押すので、爪部２２１−１、２２１−２を凹部９１５からはずすことができる。なお、本実施例ではリリース手段２３０を回転させること、実施例１ではリリース手段１３０を引っ張ることにより噴霧装置をはずす方法を示した。しかし、これらに限定する必要はない、押し込むこと、水平方向にスライドさせることなどで、爪部を凹部９１５からはずすようにリリース手段を適宜設計すればよい。
【００２６】
噴霧手段２８０は、電磁弁２８５、パッキン２８１、噴霧口２８２を有する。図８では、電磁弁２８５と噴出孔９２０との隙間は、Ｏリング１８４で埋められた状態となっている。電磁弁２８５の先にはパッキン２８１が取り付けてあり、電磁弁２８５が動作していないとき噴霧口２８２が閉じていて、エアゾール缶９００の内容物が噴出しないようになっている。そして、電磁弁２８５の動作によって噴霧口２８２が開き、エアゾール缶９００の内容物を噴霧する。図８、９の例では、電池２８６、電池用の端子２８８、回路２８３、ＬＥＤ２８７も示されている。電磁弁２８５は、電池２８６、回路２８３によって駆動され、ＬＥＤ２８７によって駆動状態が表示される。なお、ＬＥＤ２８７はハウジング２１０の内部に配置されているが、ハウジング２１０を半透明にすればＬＥＤ２８７を内部に配置しても発光状態を確認できる。また、ＬＥＤ２８７をハウジング２１０の外部に配置してもよい。
【００２７】
本実施例の噴霧装置によれば、実施例１と同じように、ロック手段をハウジングとは別体とし、ロック手段の移動方向を、噴霧装置をエアゾール缶に着脱する方向とほぼ垂直の直線状としている。また、噴霧装置を取りはずす方向に力を加えたときに凹部と接触する爪部の面の法線方向も噴霧装置をエアゾール缶に着脱する方向とほぼ垂直である。そして、爪部を凹部に嵌る方向に押す弾性体も有する。したがって、実施例１と同じように、取りはずす方向に力が加わっても爪部は動かないので確実に把持できる。さらに、爪部には、噴霧装置をエアゾール缶に取り付ける方向に押したときには、爪部が開くように爪部にテーパが形成されている。したがって、実施例１と同じように、取り付けるときには押し込むことで爪部が開き、ワンタッチで（噴霧装置を押し付けるだけで）噴霧装置をエアゾール缶に取り付けることができる。
【００２８】
また、把持状態のときに、リリース手段が２つの爪部の位置を、エアゾール缶の噴出孔に対してほぼ対称な位置に制限することによって、爪部の位置の偏心を防ぐことができるので、確実に爪部をエアゾール缶の凹部に嵌めることができる。さらに、ハウジングが、爪部を覆うとともに、爪部が開く方向の可動範囲を制限しているので、外部からの衝撃やいたずらなどによって噴霧装置がはずれることを防ぐことができる。
【符号の説明】
【００２９】
１００、２００  噴霧装置                １１０、２１０  ハウジング
１１１  リブ                            １２０、２２０  ロック手段
１２１、２２１  爪部                    １２２  連結凹部
１２３、１２４、２２３、２２４  レール部
１２５、１２６、２２５、２２６  弾性体押圧部
１２７、１２８、２２７、２２８  可動範囲制限片
１３０、２３０  リリース手段            １３１  連結凸部
１６０、１６５、２６０、２６５  弾性体
１８０、２８０  噴霧手段                １８１、２８１  パッキン
１８２、２８２  噴霧口                  １８３  噴霧ガイド
１８４  Ｏリング                        １８５、２８５  電磁弁
２１１，２１２  穴                      ２１５  底面板
２３１  操作部                          ２３２  作用部
２８３  回路                            ２８６  電池
２８８  端子                            ９００  エアゾール缶
９１０  マウンテンキャップ              ９１５  凹部
９２０  噴出孔                          １２１１、２２１１  テーパ
【図１】
2011131892.tif 000003
【図２】
2011131892.tif 000004
【図３】
2011131892.tif 000005
【図４】
2011131892.tif 000006
【図５】
2011131892.tif 000007
【図６】
2011131892.tif 000008
【図７】
2011131892.tif 000009
【図８】
2011131892.tif 000010
【図９】
2011131892.tif 000011